(57)【要約】【課題】カードスロットを有する電子機器のカードロック機構に関し、簡単な構成で確実にカード誤挿抜を防止する。【解決手段】カードからの読出しやカードへの書き込みなどのカード駆動回路をオンオフするスイッチと、該スイッチに連動して該カード収納部のカード挿抜口の後方でカード挿入可能な位置とカード挿入を妨害する位置とを移動するシャッター部材とを有し、該シャッター部材は前記スイッチのオン操作に連動して前記カード挿入を妨害する位置に移動するカードロック機構である。【選択図】  図１
2004318479.tif 000002
【特許請求の範囲】
【請求項１】
機器の機能を拡張するカードを収納するカード収納部を有する電子機器において、前記カードからの読出しや前記カードへの書き込みなどのカード駆動回路をオンオフするスイッチと、該スイッチに連動して前記カード収納部のカード挿抜口の後方でカード挿入可能な位置とカード挿入を妨害する位置とを移動するシャッター部材とを有し、該シャッター部材は前記スイッチのオン操作に連動して前記カード挿入を妨害する位置に移動することを特徴とするカードロック機構。
【請求項２】
前記シャッター部材は前記スイッチとの係合部と、回転軸又は回転軸に係合する軸孔と、前記カード挿抜口の後方で移動するシャッター部からなることを特徴とするカードロック機構。
【請求項３】
前記シャッター部材は略くの字形状をなし、くの字中央部に前記回転軸又は回転軸に係合する軸孔を有し、くの字の一端部に前記にスイッチとの係合部を有し、くの字の他端部前記シャッターを有することを特徴とする請求項１又は請求項２のどちらかに記載のカードロック機構。
【請求項４】
前記カード挿抜口の一部には挿抜されるカードの端部を指でつまむためのつまみ部を設けたことを特徴とする請求項１乃至請求項３のいずれか１項に記載のカードロック機構。
【請求項５】
請求項１乃至請求項４のいずれか１項に記載のカードロック機構を装置の前面部及び又は側面部及び又は天面部に設けたことを特徴とする薄型表示装置。
【発明の詳細な説明】
【０００１】
【発明の属する技術分野】
本発明は、メモリーカード等機器の機能を拡張するカードの収納部を有する電子機器におけるカードロック機構に関する技術で、特に液晶テレビや有機ＥＬテレビ等の薄型表示装置に搭載して好適な技術である。
【０００２】
【従来の技術】
カードスロットを有する電子機器のカードロック機構に関し、特許文献１などに従来技術が開示されている。
【０００３】
特許文献１によれば、カ−ド収納部を有する情報処理装置において、スイッチカバーをカード挿抜孔まで延長させてスイッチの操作によりカ−ド収納部に出入りするシャッタとして設けることにより、簡易な構造で確実に電源等の投入時のカ−ド抜き差しを防止でき、デ−タ信号等への悪影響を防止できるというものである。
【０００４】
【特許文献１】
実開平１−３５４５６号公報
【０００５】
【発明が解決しようとする課題】
しかし乍ら、従来技術においてはスイッチカバーの一部をシャッターとしているため、スイッチカバーが大型になりスイッチ自体のスライド動作がスムーズにならなくなるという課題や、装置の表面に近いところにシャッターが存在するため、無理にこじ開けられたり、何かと当たった拍子に開いてしまったりする可能性もあり、簡単な構造で且つ確実なロック構造の提案が要求される。
【０００６】
本発明は、そのような状況に鑑みてなされたもので、簡単な構成で確実にカード誤挿抜を防止するロック機構の提案である。また、液晶テレビ等の薄型表示装置において、機能を拡張するためのカード収納部を設けた場合において、薄型であるという特徴を損なうことなく、確実にカード誤挿抜を防止するロック機構を備えた薄型表示装置の提案である。
【０００７】
【課題を解決するための手段】
本発明はこうした課題を解決するための手段を提供するもので、各請求項の発明は、以下の技術手段を構成する。
【０００８】
本発明においては、メモリーカードやプログラムカード等機器の機能を拡張するカードを収納するカード収納部を有する電子機器において、カードからの読出しやカードへの書き込みなどのカード駆動回路をオンオフするスイッチと、該スイッチに連動して該カード収納部のカード挿抜口の後方でカード挿入可能な位置とカード挿入を妨害する位置とを移動するシャッター部材とを有し、該シャッター部材は前記スイッチのオン操作に連動して前記カード挿入を妨害する位置に移動することを特徴とする。
【０００９】
また本発明においては、前記発明において、前記シャッター部材は前記スイッチとの係合部と、回転軸又は回転軸に係合する軸孔と、前記カード挿抜口の後方で移動するシャッター部からなることを特徴とする。
【００１０】
また本発明においては、前記発明において、前記シャッター部材は略くの字形状をなし、くの字形状中央部に前記回転軸又は回転軸に係合する軸孔を有し、くの字形状の一端部に前記にスイッチとの係合部を有し、くの字形状の他端部前記シャッターを有することを特徴とする。
【００１１】
また本発明においては、前記発明において、前記カード挿抜口の一部には挿抜されるカードの端部を指先でつまむための半円状の開口を設けたことを特徴とする。
【００１２】
また本発明においては、前記発明のカードロック機構を薄型表示装置の前面部及び又は側面部及び又は天面部に設けたことを特徴とする。
【００１３】
【発明の実施の形態】
本発明によるカードロック機構の実施形態の一例を図１乃至図６に基づいて以下に説明する。
【００１４】
図１は、カードロック装置の分解斜視図である。前枠４には、ツマミ２を左右にスライドするための長方形状のツマミ開口４ｂと、メモリーカードやプログラムカード等機器の機能を拡張するカード挿抜時の指形状に抜かれたカード抜用凹部（つまみ部）４ｃを有するカード挿入用のカード開口４ａと、挿入されたカードをガイドするために対で設けられたカード押さえリブ４ｄと、ツマミホルダ３を固定するためのボス４ｅが設けられている。
【００１５】
ツマミホルダ３にはツマミ２がスライドされるガイド３ｂと、レバー１の回転軸となるレバー勘合シャフト３ａと２個のビス締め孔３ｃと、スイッチ６のスイッチツマミ６ａがスライドする範囲をカバーするスライド開口３ｄが設けられている。
【００１６】
ツマミ２は、ガイド３ｂに係合しスライドする摺動溝２ｂと、レバー１の楕円孔ガイド１ｂに係合するシャフト２ａを有し、図示しないが背部にはスイッチツマミ６ａと係合する係合孔が設けられている。レバー１は、カード７の出入りを防ぐシャッター１ａと、レバー勘合シャフト３ａに係合するツマミホルダー孔１ｃと、シャフト２ａに係合する楕円孔１ｂを有する。また、基板５にはカード駆動回路やカード処理回路が搭載され、これら搭載回路の駆動スイッチであるスイッチ６も搭載されている。
【００１７】
図１とともにカードロック装置の組立て手順を説明する。ツマミ２の摺動溝２ｂをガイド３ｂに係合させ、次にレバー１をシャフト２ａとレバー勘合シャフト３ａにそれぞれ楕円孔１ｂとツマミホルダー孔１ｃの両者を係合させながらツマミホルダー３に取り付ける。
【００１８】
次に、レバー１とツマミ２とが取り付いたツマミホルダー３を、ビス締め孔３ｃとボス４ｅを合わせてビス止めすることで、前枠４に取り付ける。次に、基板５上のスイッチ６のスイッチツマミ６ａをスライド開口３ｄを通してツマミ２の背部のスイッチ係合孔に挿入し、図示しないシャーシ部に基板５の所定個所をビス締めすることで、カードロック装置部が組立てられる。
【００１９】
図２は、カード挿抜時の前枠の一部とカードロックメカ部を表す正面図であり、
図３は、カード挿抜時のカードロック装置の前面斜視図である。図２と図３においてツマミ２はツマミ開口４ｂの左端に位置し、カード駆動回路はオフ状態である。
【００２０】
ツマミ２がツマミ開口４ｂの左端に位置することでシャフト２ａはレバー１の楕円孔の左側端に位置することになり、シャッター１ａはシャッター１ａのストロークの中で最下点となり、カード開口４ａ面積の投影範囲内には現れてこない。このためカード駆動回路のオフ状態では、カード開口４ａの後方にはシャッター１ａは存在しないため、カードロック装置に対するカードの挿抜は自由の状態となる。
【００２１】
図４は、カード装填時の前枠の一部とカードロックメカ部の正面図であり、図５は、カード装填時のカードロック装置の前面斜視図である。図４と図５においてツマミ２はツマミ開口４ｂの右端に位置し、カード駆動回路はオンの状態となる。
【００２２】
ツマミ２がツマミ開口４ｂの右端に位置することでシャフト２ａはレバー１の楕円孔の右側端に位置することになり、レバー１はレバー勘合シャフト３ａを軸に回転し、シャッター１ａはシャッター１ａのストロークの中で最上点となり、カード開口４ａ面積の延長範囲内のカード７前面にシャッター１ａが現れる。このためカード駆動回路がオンの状態になると、カード開口４ａとカード７との間にはシャッター１ａは挿入されるため、カードロック装置に対するカードの挿抜は禁止される。
【００２３】
このように本発明においては、カード駆動回路のスイッチ６の操作に連動しシャッター１ａをカード７挿抜路に出し入れすることで、カード７の誤挿抜を防止することが可能となる。
【００２４】
尚、カード開口４ａの一部に指形状に抜かれたカード抜用凹部（つまみ部）４ｃを設けることで、ロック解除時にカード７を容易に引き抜くことができる。また、シャッター１ａはカード開口４ａやカード抜用凹部４ｃから覗き込むことも可能であり、シャッター１ａ面を赤色や黄色などの目立つ着色を施すことで、カード７の挿抜状態を一目で確認することも可能となる。
【００２５】
図６は液晶表示装置に本発明のカードロック装置を搭載した斜視図である。図６において、１０は前キャビネット、１０ａは液晶表示部、１０ｂはツマミ、１０ｃはカード開口、１０ｄはカード抜用凹部、１０ｅはインジケータである。
【００２６】
この実施例において、カード７はメモリーカードで、カード７には有料放送の暗号キーが記憶されており、暗号化データが復号手段に入力されることで映像、音声、データ等の信号が復元されて有料放送の視聴が可能となる。
【００２７】
ツマミ１０ｂがツマミ開口部の右端に位置することでカード駆動回路はオフの状態であり、また図示しないシャッターはシャッターのストロークの中で最下点となるためカード開口１０ｃ面積の投影範囲内には現れてこない。このためカード駆動回路のオフ状態では、カード開口１０ｃの後方にはシャッターが存在しないため、カードロック装置に対するカード７の挿抜は自由の状態となる。
【００２８】
カード７を挿入した後にツマミ１０ｂをツマミ開口部の左端に移動させることでカード駆動回路がオンとなり、カード７の暗号化データが復号手段に入力されることで映像、音声、データ等の信号が復元されて有料放送の視聴が可能となる。
【００２９】
図６においてはカード挿入口を液晶表示装置の前面に設けた状態を表し説明したが、設置場所は装置の前面に限定されるものではないが、側面や天面なども含め、操作性の良い位置に設けられることになる。また、カード７には有料放送の暗号キーが記憶されている例を示したが、カード７が備える機能はこれに限定されるものではなく、例えば、液晶テレビや有機ＥＬテレビ等の薄型表示装置により受信した映像等を記録するものであっても良いことはもちろんである。
【００３０】
【発明の効果】
上記にて説明された本発明により以下の効果がもたらされる。
本発明においては、スイッチとスイッチに係合するシャッター部材との簡単な構成でカードの誤挿抜を防止することが可能である。
【００３１】
また本発明においては、カード挿入孔の後方にシャッター部材を有することで、誤ってシャッターが開くことが無く、確実に誤挿抜を防止できる。
【００３２】
また本発明においては、カード挿入孔に指先形状に略相似する開口部を設けており、カードの出し入れを容易におこなうことができる。
【００３３】
さらに、液晶テレビ等の薄型表示装置において、薄型であるという特徴を損なうことなく、確実にカード誤挿抜を防止するロック機構を備えた装置とすることができる。
【図面の簡単な説明】
【図１】本発明によるカードロック機構の実施形態例を示す分解斜視図である。
【図２】本発明によるカードロック機構の実施形態例を示す平面図である。
【図３】本発明によるカードロック機構の実施形態例を示す斜視図である。
【図４】本発明によるカードロック機構の実施形態例を示す平面図である。
【図５】本発明によるカードロック機構の実施形態例を示す斜視図である。
【図６】本発明によるカードロック機構を搭載した液晶表示装置の斜視図である。
【符号の説明】
１  レバー
２  ツマミ
３  ツマミホルダー
４  前枠
５  基板
６  スイッチ
７  カード
【図１】
2004318479.tif 000003
【図２】
2004318479.tif 000004
【図３】
2004318479.tif 000005
【図４】
2004318479.tif 000006
【図５】
2004318479.tif 000007
【図６】
2004318479.tif 000008